(57)【要約】【課題】  発熱部材の突入電流に起因する逆起電力でスイッチング素子に耐圧破壊が生じるのを防止する。【解決手段】  スイッチング素子ＦＥＴをオン、オフすることで、キャパシタＣＰ１への通電をオン、オフする。このオン、オフのためのオン信号、オフ信号は、制御部のマイクロコンピュータから出力される。オン信号、オフ信号は、駆動回路４０２を介してスイッチング素子ＦＥＴに入力する。駆動回路４０２では、ヒータＨＴ１に流れる電流を検出する検出抵抗Ｒの検出電流値がコンパレータ４０３で基準電圧Ｖｒｅｆと比較される。ヒータＨＴ１に突入電流が流れて検出抵抗Ｒで基準電圧Ｖｒｅｆを超える高い電流を検出したときは、コンパレータ４０３の出力によりトランジスタＴＲ３をオンして、制御部２０２のマイクロコンピュータから出力されるオフ信号を引き抜いてキャンセルする。【選択図】    図４
2005222721.tif 000002
【特許請求の範囲】
【請求項１】
蓄電器と、
この蓄電器を充電する充電器と、
発熱部材と、
前記充電器の充電電力を前記発熱部材に放電して発熱させるスイッチング素子と、
前記スイッチング素子をオンしたときは、当該スイッチング素子のオンにより前記発熱部材に流れる突入電流による逆起電圧を防止する必要のある間だけ当該スイッチング素子をオンに維持する手段と、
を備えている発熱装置。
【請求項２】
前記手段は、前記突入電流を検出して、前記スイッチング素子がオンした時点から前記検出値が所定値に下がるまで当該スイッチング素子をオフするオフ信号のキャンセルを維持する、請求項１に記載の発熱装置。
【請求項３】
前記手段は、前記スイッチング素子をオンしたときからの経過時間をカウントし、そのカウント時間が所定の時間内である間だけ前記スイッチング素子をオンに維持する、請求項１に記載の発熱装置。
【請求項４】
トナー画像が形成された媒体を加圧及び加熱して前記トナー画像の定着を行なう定着部材と、
商用電源から電力の供給を受けて発熱し前記定着部材を加熱する第１の発熱部材と、
蓄電器と、
商用電源から電力の供給を受けて前記蓄電器を充電する充電器と、
前記蓄電器の充電電力の供給を受けて発熱し前記定着部材を加熱する第２の発熱部材と、
前記充電器の充電電力を前記第２の発熱部材に放電して発熱させるスイッチング素子と、
前記スイッチング素子をオンしたときは、当該スイッチング素子のオンにより前記発熱部材に流れる突入電流による逆起電圧を防止する必要のある間だけ当該スイッチング素子をオンに維持する手段と、
を備えている定着装置。
【請求項５】
前記手段は、前記突入電流を検出して、前記スイッチング素子がオンした時点から前記検出値が所定値に下がるまで当該スイッチング素子をオフするオフ信号のキャンセルを維持する、請求項４に記載の定着装置。
【請求項６】
前記手段は、前記スイッチング素子をオンしたときからの経過時間をカウントし、そのカウント時間が所定の時間内である間だけ前記スイッチング素子をオンに維持する、請求項４に記載の定着装置。
【請求項７】
電子写真方式で媒体上に画像形成を行い、定着装置として請求項４〜６のいずれかの一に記載の定着装置を備えている、画像形成装置。
【発明の詳細な説明】
【技術分野】
【０００１】
本発明は、蓄電器の充電電力で発熱する発熱部材を備えている発熱装置、及び定着装置、並びにこの定着装置を備えた画像形成装置に関する。
【背景技術】
【０００２】
電子写真方式の画像形成装置に用いられる定着装置の発熱部材（定着ヒータ）について、商用電源からの電力供給に加えて、電気二重層コンデンサなどのキャパシタを使用した充電可能な補助電源を用いることによって、急速な立ち上がりを可能にすることで省電力効果を高めようとした技術が開示されている。
【０００３】
【特許文献１】特開２００２−１８４５５４公報
【発明の開示】
【発明が解決しようとする課題】
【０００４】
このような定着装置において、キャパシタからヒータへの通電は、ＭＯＳＦＥＴなどのスイッチング素子をオンにして行なう。しかしながら、ヒータの冷感時においてはスイッチング素子をオンにして通電が始まると、ヒータが冷えているために定格以上の大電流となる突入電流が生じる。そして、突入電流が流れている状態で電流をオフするとヒータのインダクタンス成分に起因して逆起電力を生じ、スイッチング素子などの回路に耐圧破壊が生じる恐れがあるという不具合がある。
【０００５】
これに対して、特許文献１においては、補助電源から補助発熱体に電力の供給を開始した時から一定時間経過したときに補助電源から補助発熱体への電力の供給を停止する技術が開示されている。しかし、その目的は、補助電源から補助発熱体に供給している電力量を調整しながら加熱部を加熱することにあり、逆起電力による耐圧破壊の防止を目的として補助電源から補助発熱体への電力の供給を維持しようとする構成ではない。
【０００６】
本発明は、発熱部材の突入電流に起因する逆起電力でスイッチング素子などの回路に耐圧破壊が生じるのを防止することである。
【課題を解決するための手段】
【０００７】
本発明は、蓄電器と、この蓄電器を充電する充電器と、発熱部材と、前記充電器の充電電力を前記発熱部材に放電して発熱させるスイッチング素子と、前記スイッチング素子をオンしたときは、当該スイッチング素子のオンにより前記発熱部材に流れる突入電流による逆起電圧を防止する間だけ当該スイッチング素子をオンに維持する手段と、を備えている発熱装置である。
【０００８】
本発明は、トナー画像が形成された媒体を加圧及び加熱して前記トナー画像の定着を行なう定着部材と、商用電源から電力の供給を受けて発熱し前記定着部材を加熱する第１の発熱部材と、蓄電器と、商用電源から電力の供給を受けて前記蓄電器を充電する充電器と、前記蓄電器の充電電力の供給を受けて発熱し前記定着部材を加熱する第２の発熱部材と、前記充電器の充電電力を前記第２の発熱部材に放電して発熱させるスイッチング素子と、前記スイッチング素子をオンしたときは、当該スイッチング素子のオンにより前記発熱部材に流れる突入電流による逆起電圧を防止する間だけ当該スイッチング素子をオンに維持する手段と、を備えている定着装置である。
【発明の効果】
【０００９】
本発明によれば、スイッチング素子をオンしたときは、スイッチング素子のオンにより発熱部材に流れる突入電流による逆起電圧を防止する間だけ当該スイッチング素子をオンに維持するので、発熱部材の突入電流に起因する逆起電力の発生を防止し、スイッチング素子などの回路に耐圧破壊が生じるのを防ぐことができる。
【発明を実施するための最良の形態】
【００１０】
本発明を実施するための最良の一形態について説明する。
【００１１】
図１は、本実施の形態のデジタル複写機１の縦断面図である。このデジタル複写機１は、本発明の画像形成装置を実施するもので、いわゆる複合機である。すなわち、このデジタル複写機１は、複写機能と、これ以外の機能、例えば、プリンタ機能、ファクシミリ機能とを備えていて、図示しない操作部のアプリケーション切り替えキーの操作により、複写機能、プリンタ機能、ファクシミリ機能を順次に切り替えて選択することが可能である。これにより、複写機能の選択時には複写モードとなり、プリンタ機能の選択時にはプリントモードとなり、ファクシミリモードの選択時にはファクシミリモードとなる。
【００１２】
次に、このデジタル複写機１の概略構成及び複写モードの際の動作について説明する。図１において、自動原稿送り装置（以下ＡＤＦという）１０１において、原稿台１０２に画像面を上にして置かれた原稿は、図示しない操作部上のスタートキーが押下されると、給紙ローラ１０３、給送ベルト１０４によってコンタクトガラスからなる原稿台１０２上の所定の位置に給送される。ＡＤＦ１０１は、一枚の原稿の給送完了毎に原稿枚数をカウントアップするカウント機能を有する。コンタクトガラス１０５上の原稿は、画像読取装置１０６によって画像情報が読み取られた後に、給送ベルト１０４、排送ローラ１０７によって排紙台１０８上に排出される。
【００１３】
原稿セット検知器１０９で原稿台１０２上に次の原稿が存在することが検知された場合には、同様に原稿台１０２上の一番下の原稿が給紙ローラ１０３、給送ベルト１０４によってコンタクトガラス１０５上の所定の位置に給送される。このコンタクトガラス１０５上の原稿は、画像読取装置１０６によって画像情報が読み取られた後に、給送ベルト１０４、排送ローラ１０７によって排紙台１０８上に排出される。ここに、給送ローラ３、給送ベルト４及び排送ローラ７は搬送モータによって駆動される。
【００１４】
第１給紙装置１１０、第２給紙装置１１１及び第３給紙装置１１２は、それぞれ選択されたときに、その積載された転写紙を給紙し、この転写紙は縦搬送ユニット１１６によって感光体１１７に当接する位置まで搬送される。感光体１１７は、例えば感光体ドラムが用いられていて、図示しないメインモータにより回転駆動される。
【００１５】
画像読取装置１０６で原稿から読み取られた画像データは、図示しない画像処理装置で所定の画像処理が施された後、書き込みユニット１１８によって光情報に変換され、感光体ドラム１１７には図示しない帯電器により一様に帯電された後に書き込みユニット１１８からの光情報で露光されて静電潜像が形成される。この感光体ドラム１１７上の静電潜像は、現像装置１１９により現像されてトナー像となる。書き込みユニット１１８、感光体ドラム１１７、現像装置１１９や、その他の図示しない感光体ドラム１１７回りの周知の装置などにより、電子写真方式で用紙などの媒体に画像形成を行なうプリンタエンジンを構成している。
【００１６】
搬送ベルト１２０は、用紙搬送の手段及び転写の手段を兼ねていて電源から転写バイアスが印加され、縦搬送ユニット１１６からの転写紙を感光体ドラム１１７と等速で搬送しながら感光体ドラム１１７上のトナー像を転写紙に転写する。この転写紙は、定着装置１２１によりトナー像が定着され、排紙ユニット１２２により排紙トレイ１２３に排出される。感光体ドラム１１７は、トナー像転写後に図示しないクリーニング装置により残存トナーのクリーニングがなされる。
【００１７】
以上の動作は、通常のモードで用紙の片面に画像を複写するときの動作であるが、両面モードで転写紙の両面に画像を複写する場合には、各給紙トレイ１１３〜１１５のいずれかより給紙されて表面に上述のように画像が形成された転写紙は、排紙ユニット１２２により排紙トレイ１２３側ではなく、両面入紙搬送路１２４側に切り替えられ、反転ユニット１２５によりスイッチバックされて表裏が反転され、両面搬送ユニット１２６へ搬送される。
【００１８】
この両面搬送ユニット１２６へ搬送された転写紙は、両面搬送ユニット１２６により縦搬送ユニット１１６へ搬送され、縦搬送ユニット１１６により感光体ドラム１１７に当接する位置まで搬送され、感光体ドラム１１７上に上述と同様に形成されたトナー像が裏面に転写されて、定着装置１２１でトナー像が定着されることにより両面コピーとなる。この両面コピーは排紙ユニット１２２により排紙トレイ１２３に排出される。
【００１９】
また、転写紙を反転して排出する場合には、反転ユニット１２５によりスイッチバックされて表裏が反転された転写紙は、両面搬送ユニット１２６に搬送されずに反転排紙搬送路１２７を経て排紙ユニット１２２により排紙トレイ１２３に排出される。
【００２０】
プリントモードでは、前述の画像処理装置からの画像データの代りに、外部からの画像データが書き込みユニット１１８に入力されて、前述と同様に転写紙上に画像が形成される。
【００２１】
さらに、ファクシミリモードでは、画像読取装置１０６からの画像データが図示しないファクシミリ送受信部により相手に送信され、相手からの画像データがファクシミリ送受信部で受信されて前述の画像処理装置からの画像データの代りに書き込みユニット１１８に入力されることにより、前述と同様に転写紙上に画像が形成される。
【００２２】
また、このデジタル複写機１には、図示しない大量用紙供給装置（以下、ＬＣＴという）と、及びソート、穴あけ、ステイプルなどを行なうフィニッシャーと、原稿読み取りのためのモード、複写倍率の設定、給紙段の設定、フィニッシャー１２で後処理の設定、オペレータに対する表示などを行なう操作部とを備えている。
【００２３】
次に、定着装置１２１の構成について図２を参照して説明する。図２に示すように、定着装置１２１は、本発明の発熱装置、定着装置を実施するもので、被加熱物である定着ローラ３０１に、シリコンゴム等の弾性部材からなる加圧ローラ３０２が、図示しない加圧手段により一定の加圧力で押し当てられている。定着部材と加圧部材は、一般的にローラ状である場合が多いが、例えば、いずれか一方又は両方を無端ベルト状に構成するようにしてもよい。この定着装置１２１には、ヒータＨＴ１，ＨＴ２が任意の位置に設けられる。例えば、このヒータＨＴ２，ＨＴ１は、定着ローラ３０１の内部に配置されていて、被加熱物である定着ローラ３０１を内側から加熱する。
【００２４】
定着ローラ３０１及び加圧ローラ３０２は、図示しない駆動機構により回転駆動される。温度センサ（サーミスタなど）ＴＨ１１は、定着ローラ３０１の表面に当接され、定着ローラ３０１の表面温度（定着温度）を検出する。トナー３０６を担持した転写紙等の媒体であるシート３０７は、定着ローラ３０１と加圧ローラ３０２とのニップ部を通過する際に、定着ローラ３０１と加圧ローラ３０２による加熱及び加圧でトナー画像３０６が定着される。
【００２５】
第１の発熱部材である定着ヒータＨＴ１は、定着ローラ３０１の基準となる所定の目標温度Ｔｔに達していないときにＯＮにされて、定着ローラ３０１を加熱する主たるヒータ（主ヒータ）である。第２の発熱部材である定着ヒータＨＴ２は、本複写機１の主電源投入の時や、後述の省エネモードから復帰してコピー可能となるまでの立ち上げ時等、すなわち、定着装置１２１のウォームアップ時にＯＮにされて、定着ローラ３０１を加熱する補助的なヒータ（補助ヒータ）である。
【００２６】
図３は、定着装置１２１を主とした本複写機１の電源制御系の構成を示す図である。図３に示す電源制御系は、ＡＣ電源（商用交流電源）ＰＳの供給のＯＮ／ＯＦＦを行なう主電源ＳＷ２０１と、マイクロコンピュータを備え、電源回路２００の各部その他を制御する制御装置となる制御部２０２と、定着ヒータＨＴ１の補助電源である蓄電器となるキャパシタＣＰ１と、このキャパシタＣＰ１を充電するための充電器となるキャパシタ充電器２０３と、本複写機１のＤＣ電源を生成するＤＣ電源生成回路２０４と、ＡＣ定着ヒータＨＴ２にＡＣ電力を供給するＡＣヒータ駆動回路２０５と、ＡＣ電源から入力される入力電流を検出する入力電流検出回路２０６と、インターロックスイッチ２０７と、キャパシタＣＰ１の放電を行って、定着ヒータＨＴ１にＤＣ電力を供給するキャパシタ充放電回路２０８と、を備えている。
【００２７】
ＡＣ電源ＰＳは、主電源ＳＷ２０１および入力電流検出回路２０６を介して、ＡＣヒータ駆動回路２０５と、ＤＣ電源生成回路２０４と、およびキャパシタ充電器２０３にＡＣ電力を供給する。
【００２８】
制御部２０２は、主に電源回路２００の各部を制御するものであり、キャパシタ充電器２０３、ＡＣヒータ駆動回路２０５、およびキャパシタ充放電回路２０８の動作を制御する。具体的には、制御部２０２は、キャパシタ充電器２０３に制御信号Ｓ１１を送出して、キャパシタ充電器２０３によるキャパシタＣＰ１の充電動作を制御する。また、制御部２０２は、キャパシタ充放電回路２０８に、制御信号Ｓ１３，Ｓ１４を送出して、キャパシタ充放電回路２０８による定着ヒータＨＴ１のＯＮ／ＯＦＦ動作を制御する。また、制御部２０２は、制御信号をＡＣヒータ駆動回路２０５に送出して、ＡＣヒータ駆動回路２０５による定着ヒータＨＴ２のＯＮ／ＯＦＦ動作を制御する。
【００２９】
ＤＣ電源生成回路２０４は、主電源ＳＷ２０１を介して入力されるＡＣ電源に基づいて、画像形成装置内部で主に制御系で使用される電源Ｖｃｃと、主に駆動系、中高圧電源に使用される電源Ｖａａを生成して、各部に出力する。
【００３０】
インターロックスイッチ２０７は、図示しない本複写機１のカバー類と連動してＯＮ／ＯＦＦするスイッチであり、複写機１のカバー類が開放されることにより触れることができる駆動部材、中高圧電源印加部材を有する場合には、カバー開時に該駆動部材の動作を停止または該印加部材への電圧印加を停止するよう電源を遮断する構成となっている。インターロックスイッチ２０７には、ＤＣ電源生成回路２０４で生成された電源Ｖａａの一部が入力され、このインターロックスイッチ２０７を介して、キャパシタ充放電回路２０８およびＡＣヒータ駆動回路２０５に入力される。
【００３１】
ＡＣヒータ駆動回路２０５は、制御部２０２から入力される制御信号に応じて、ＡＣ定着ヒータＨＴ２のＯＮ／ＯＦＦを行なう。
【００３２】
キャパシタ充電器２０３は、キャパシタＣＰ１と接続されており、制御部２０２から入力される制御信号に基づいて、キャパシタＣＰ１の充電を行なう。
【００３３】
キャパシタＣＰ１は、電気二重層コンデンサ等の大容量のキャパシタで構成されている。キャパシタＣＰ１は、キャパシタ充電器２０３およびキャパシタ充放電回路２０８に接続されており、キャパシタ充電器２０３で充電が行われ、その充電された電力は、キャパシタ充放電回路２０８のＯＮ／ＯＦＦ制御により定着ヒータＨＴ１に供給される。
【００３４】
キャパシタ充放電回路２０８は、制御部２０２から入力される制御信号に応じて、キャパシタＣＰ１に蓄積された電力を放電させて、定着ヒータＨＴ１をＯＮ／ＯＦＦさせる。
【００３５】
上記サーミスタＴＨ１１は、定着ローラ１５１の近傍に設けられており、定着ローラ１５１の表面温度に応じた検出信号Ｓ１６を制御部２０２に出力する。サーミスタＴＨ１１は、その抵抗値が温度により変化するため、制御部２０２は、その抵抗値の温度変化を利用して、検出信号から定着ローラ１５１の表面温度を検出する。
【００３６】
次に、キャパシタ充放電回路２０８について説明する。図４に示すように、キャパシタ充放電回路２０８は、安全のためのリレー４０１を備え、このリレー４０１を閉じることにより、ＭＯＳＦＥＴなどで構成されるスイッチング素子ＦＥＴをオン、オフすることで、キャパシタＣＰ１への通電をオン、オフすることができる。このスイッチング素子ＦＥＴをオン、オフするオン信号、オフ信号は、制御部２０２（図３）のマイクロコンピュータから出力される。このオン信号（Ｈレベル信号）、オフ信号（Ｌレベル信号）は、本発明の特徴的な手段を実現する駆動回路４０２を介してスイッチング素子ＦＥＴに入力する。この駆動回路４０２は、ヒータＨＴ１に流れる電流を検出する電流センサとなる検出抵抗Ｒがスイッチング素子ＦＥＴのソースとＧＮＤとの間に介装されている。この検出電流値は、コンパレータ４０３の非反転入力端子に入力され、所定の基準電圧Ｖｒｅｆと比較される。オン信号、オフ信号は、トランジスタＴＲ１，ＴＲ２を介してスイッチング素子ＦＥＴに入力され、ヒータＨＴ１に突入電流が流れて検出抵抗Ｒで基準電圧Ｖｒｅｆを超える高い電流を検出したときは、コンパレータ４０３の出力によりトランジスタＴＲ３をオンして、制御部２０２のマイクロコンピュータから出力されるオフ信号を引き抜いてキャンセルする。
【００３７】
図５は、図４の回路のタイミングチャートである。マイクロコンピュータからオン信号が出力されて、トランジスタＴＲ１，ＴＲ２がオンして、スイッチング素子ＦＥＴがオンする（図５（ａ）（ｃ）（ｅ））。これにより、ヒータＨＴ２に電流Ｉが流れて、検出抵抗Ｒの電圧“Ｉ×Ｒ”が基準値Ｖrefを越えるとき（図５（ｂ））、すなわち、突入電流が流れたときは、程なくマイクロコンピュータからオフ信号が出力されても（制御部２０２は、サーミスタＨｔ１１の検出温度のみに基づいてキャパシタ充放電回路２０８を制御してスイッチング素子ＦＥＴをオフするので、突入電流が高いタイミングでもオフ信号が出力される場合がある）（図５（ａ）（ｃ））、トランジスタＴＲ３がオンして（図５（ｄ））オフ信号をキャンセルするので、
検出抵抗Ｒの電圧Ｉ×Ｒが基準値Ｖrefを越える間はスイッチング素子ＦＥＴは引き続いてオンの状態を維持し、ヒータＨＴ１に通電し続けるので、逆起電力の発生は防止される。
【００３８】
このようにして、スイッチング素子ＦＥＴをオンしたときは、スイッチング素子ＦＥＴのオンによりヒータＨＴ２に流れる突入電流による逆起電圧を防止する間だけスイッチング素子ＦＥＴをオフするオフ信号をキャンセルするので、逆起電圧によるスイッチング素子ＦＥＴなどの回路の耐圧破壊を防止することができる。
【００３９】
図６は、突入電流が流れているときに電流をオフした場合の逆起電圧が発生している状態（ａ）と、突入電流がおさまっているときに電流をオフした場合の逆起電圧が発生している状態（ｂ）とを比較するタイミングチャートである。逆起電圧が発生する場合（ａ）では、キャパシタＣＰ１の放電の開始により、キャパシタＣＰ１の電圧（キャパシタ電圧）が低下し、その放電電流に突入電流Ｉtが発生する。このとき、スイッチング素子ＦＥＴをオンするオン信号の時間が極短時間（Ｔ２）で、すぐにスイッチング素子ＦＥＴをオフするオフ信号が出力されるときは、逆起電圧（図４のＡ点の電位）Ｖ２が発生する。
【００４０】
これに対し、逆起電圧が防止される場合（ｂ）は、キャパシタＣＰ１の放電の開始により、キャパシタＣＰ１の電圧（キャパシタ電圧）が低下し、その放電電流に突入電流Ｉtが発生する。このとき、スイッチング素子ＦＥＴをオフするオフ信号がキャンセルされてスイッチング素子ＦＥＴをオンするオン信号の時間が逆起電圧を防止する時間Ｔ１の間維持されると、その後、スイッチング素子ＦＥＴをオフするオフ信号が出力されるときは、逆起電圧はＶ１にまで抑制される。
【００４１】
次に、これとは別の構成例について説明する。図７は、この別の構成例におけるキャパシタ充放電回路２０８の回路図である。図４と同一符号の回路要素などは図４のものと同様であるため、詳細な説明は省略する。図７の回路が図４の回路と相違する点は、駆動回路４０２が設けられておらず、オン信号、オフ信号は、直接スイッチング素子ＦＥＴに入力される。この場合は、制御部２０２のマイクロコンピュータにより、図８のフローチャートに示すような処理が実行される。すなわち、制御部２０２のマイクロコンピュータは、キャパシタＣＰ１の放電要求があったときは（ステップＳ１のＹ）、スイッチング素子ＦＥＴにオン信号を出力して、キャパシタＣＰ１の放電を開始する（ステップＳ２）。そして、これと同時に所定のタイマをスタートする（ステップＳ３）。その後、タイマのカウント時間が逆起電圧を防止する時間Ｔ１（図６（ｂ）参照）、この例で１００ｍｓに達したときは（ステップＳ４のＹ）、スイッチング素子ＦＥＴにオフ信号を出力してキャパシタＣＰ１の放電を停止して（ステップＳ５）、前述のタイマをクリアする（ステップＳ６）。
【００４２】
この例では、図４の回路のように突入電流を検出して、その検出中は放電要求がなくても（ステップＳ１のＮ）、予め設定された一定時間Ｔ１の間はオフ信号を出力することなくオン信号を維持する。すなわち、オン信号の出力開始後一定時間は逆起電圧が発生するものと擬制してオン信号を維持することにより、逆起電力を防止しようとするものである。
【００４３】
このように、図４の構成例も、図６の構成例も、スイッチング素子ＦＥＴがオンになった時点から逆起電圧を防止する必要のある間だけ、キャパシタＣＰ１の放電要求がなくてもスイッチング素子ＦＥＴをオンに維持し、逆起電圧の発生を防止することができる。
【００４４】
但し、図４の構成例は突入電流を検出抵抗Ｒで検出し、突入電流が高いと判断される時点はスイッチング素子ＦＥＴがオンに維持するので、図６の構成例に比べて信頼性が高い。
【００４５】
これに対し、図６の構成例は、スイッチング素子ＦＥＴがオンになった時点から予め設定された一定時間の間は逆起電圧を防止する必要があるものと考えてスイッチング素子ＦＥＴがオンに維持する構成であるが、この場合は駆動回路４０２を不要とすることができるので、回路構成が図４の構成と比べて簡易であり、製造コストを低減することができる。
【図面の簡単な説明】
【００４６】
【図１】本実施の形態のデジタル複写機の縦断面図である。
【図２】定着装置の説明図である。
【図３】定着装置を主としたデジタル複写機の電源制御系の回路図である。
【図４】キャパシタ充放電回路の放電を行なうための回路構成の回路図である。
【図５】駆動回路の動作を説明するタイミングチャートである。
【図６】キャパシタ充放電回路の放電を行なうための回路構成の作用を説明するタイミングチャートである。
【図７】キャパシタ充放電回路の放電を行なうための別の回路構成の回路図である。
【図８】図７の回路で実行する処理のフローチャートである。
【符号の説明】
【００４７】
ＣＰ１  蓄電器
ＨＴ１  第１の発熱部材
ＨＴ２  第２の発熱部材、発熱部材
ＦＥＴ  スイッチング素子
１  画像形成装置
１２１  定着装置、加熱装置
２０３充電器
２０８  放電器、充電器
【図１】
2005222721.tif 000003
【図２】
2005222721.tif 000004
【図３】
2005222721.tif 000005
【図４】
2005222721.tif 000006
【図５】
2005222721.tif 000007
【図６】
2005222721.tif 000008
【図７】
2005222721.tif 000009
【図８】
2005222721.tif 000010